(57)【要約】【課題】髪留めの構造を簡略化し、頭髪の量に関わらず、頭髪を偏りなく留め台と留め金の間に保持することを可能にし、頭髪の保持効果を高め、また従来品のように挟み金具８を設置しないことにより、製造コストを抑え、製品取扱い上の安全性を高めた、留め台と留め金の形状に平板または孤形のどちらも採用可能である髪留めの提供。【解決手段】留め台１、３と留め金２、４を基本に構成し、該留め台１、３上には等間隔に配置した数個の孤形突起１３、３３を備え、頭髪５の保持空間１３１、２３１、３３１を形成し、偏りなく頭髪５を保持することを可能にし、また留め台１、３上には支持突起１４、２４、３４を設け、留め金２、４上にはメッシュ模様２０または孤形突起２３、乃至はアーチ突起４３を設置し、頭髪５の滑落を防止する。【選択図】    図１
2004242844.tif 000002
【特許請求の範囲】
【請求項１】
留め台と留め金からなり、留め台の一端の両側にそれぞれつまみ部を設け、該つまみ部には内側に連続して留め金具を形成し、留め台の別の一端の両側には連結板を設け、該連結板にはそれぞれ連結孔を形成し、留め金の一端の両側に設けた連結突起を挿入して留め金を連結し、該留め金の別の一端には留め穴を設け、該留め穴は前記つまみ部に設けた留め金具に嵌置され、つまみ部の圧縮と開放操作により、留め金と留め台の留め部分の開閉を行なう髪留めで、留め台の片側に縦方向に留め金側へ向って突起した数個の孤形突起を等間隔に配置し、該孤形突起が留め台上に頭髪を留める保持空間を形成し、この保持空間に使用者の頭髪を配置し保持することを特徴とする髪留め。
【請求項２】
前記留め金上に頭髪保持力強化のためのアーチ突起を設けたことを特徴とする請求項１に記載の髪留め。
【請求項３】
前記留め金上に頭髪保持力強化のための数個の孤形突起を設け、前記留め台上の孤形突起と交互に噛合することを特徴とする請求項１に記載の髪留め。
【請求項４】
前記留め金上に頭髪保持力強化のための突起部を設け、前記留め台上の孤形突起が形成する頭髪配置空間に対応して噛合することを特徴とする請求項１に記載の髪留め。
【請求項５】
前記留め台上の両側にそれぞれ縦方向に数個の留め金側へ向って突起した孤形突起を等間隔に配置し、留め金上の孤形突起と交互に噛合することを特徴とする請求項３に記載の髪留め。
【請求項６】
前記孤形突起の一端に、孤形突起の強度と安定性を向上するための連続フレームを形成したことを特徴とする請求項１に記載の髪留め。
【請求項７】
留め台の中央部に該孤形突起の一端に接する支持突起を設けたことを特徴とする請求項５に記載の髪留め。
【請求項８】
留め金の一端に連結管を備え、該連結管の両外側にそれぞれ同心の連結突起を設け、該連結突起を連結板の連結孔に接続し、弧線状に接触させ、留め金具部の開閉をスムーズにすることを特徴とする請求項１に記載の髪留め。
【発明の詳細な説明】
【０００１】
【発明の属する技術分野】
本発明は、頭髪を保持するための髪留めに関する。
【０００２】
【従来の技術】
現在一般的に使用されている髪留めを図１２、図１３、図１４に示す。留め台６と留め金７及び挟み金具８などを備え、留め金７の中央にアーチ突起７１を設け、該アーチ突起７１を前記挟み金具８に形成した長穴８１内に嵌置することにより、頭髪５を保持する機能を果たすものである。
【０００３】
【発明が解決しようとする課題】
しかしながら、前記の一般的な髪留めは往々にして、頭髪５が留め金７と挟み金具８間に挟まれる際に、頭髪５が髪留めの両端部分に多く偏り、中央部分に少ないという不均等な保持状態になり、挟んだ後の頭髪５の均等な調整がしにくくなる欠点がある。さらに、一部の頭髪５が挟み金具８の両端と留め台６の両端（連結板６２とつまみ部６１）との間に入り込みやすく、はさみのような状態を呈したこの両端の部分が頭髪５に損傷を与えることがある。また、図１４に示すように、頭髪５が比較的少量の場合、留め金７と挟み金具８間に挟まれた頭髪５を効果的に保持することが難しく、頭髪５が髪留めから滑落してしまいがちである。加えて、一般的な挟み金具８は金属製の小型製品で、組立時において切り傷など作業者の手を傷めてしまう危険性があり、また製造コストも増加してしまう。さらに、この挟み金具８は外れることもあり、幼児が飲み込んでしまう危険性もある。
【０００４】
本発明は、前記の問題点に鑑みて、髪留めの構造を簡略化し、頭髪の量に関わらず、均等に頭髪を留め台上の保持空間と留め金の間に保持することを可能にし、頭髪５の保持効果を高め、また従来品のように挟み金具８を設置しないことにより、製造コストを抑え、製品取扱い上の安全性を向上し、さらに留め台と留め金の形状に平板または孤形のどちらも採用可能である髪留めの提供を目的とするものである。
【０００５】
【課題を解決するための手段】
本発明の髪留めは、留め台と留め金を基本に構成され、該留め台上には等間隔に配置した数個の孤形突起を備え、頭髪の保持空間を形成し、さらに留め台上には突起部を、留め金上にはアーチ突起を設置可能であることを特徴とし、偏りなく頭髪を保持空間内に保持することを可能にし、且つ頭髪に損傷を与えることなく、保持効果を向上し、さらに、挟み金具８を設置しないことにより、製造コストを抑え、安全性を高める。
【０００６】
【発明実施の形態】
以下、図面に基づいて本発明の実施例を詳細に説明する。なお、以下の実施例は本発明の説明のための実施例であり、本発明の構造と技術の修正及び利用は、本発明の範囲に含まれるものとする。
図１に本発明の実施例１を示す。本発明の髪留めは、留め台１と留め金２から成り、該留め台１の一端の両側にはそれぞれつまみ部１１を設け、該つまみ部１１には内側に連続して留め金具１１１を設け、留め台１の別の一端の両側には連結板１２を設け、該連結板１２にはそれぞれ同心の連結孔１２１を形成し、留め金２の一端の両側に設けた連結突起２１を連結板１２の連結孔１２１に挿入して留め金２を回動可能に連結し、開閉軸部を形成し、該留め金２の別の一端には留め穴２２を設け、該留め穴２２は前記つまみ部１１に設けた留め金具１１１を嵌置し、開閉部を形成し、つまみ部１１の圧縮と開放操作により、留め金２と留め台１の開閉を行なう。
【０００７】
また、前記留め台１の片側に縦方向に留め金２側へ向って突起した数個の孤形突起１３を等間隔に配置し、該孤形突起１３が留め台１上に頭髪５を留める保持空間１３１を形成し、この保持空間１３１に使用者の頭髪５が配置される。なお、本実施例の留め台１は、金属の一体成形またはプラスチック成型のどちらも採用可能である。さらに、前記留め台１のもう一方の側に横に支持突起１４を設け、該支持突起１４は、前記孤形突起１３の片側底部に接し、孤形突起１３のもう一方の側が使用者の手を傷つけることを防止し、同時に留め台１の湾曲に対する強度を向上する。
【０００８】
さらに、前記留め金２上にはメッシュ模様２０を形成し、頭髪５との接触面積を増加し、且つ摩擦面を形成することで、頭髪５の保持力を向上し、同時に留め金２の湾曲に対する強度を向上する。また、留め金具８を利用しないことで、頭髪５の損傷を防ぎ、生産コストを抑える。
【０００９】
図３に本発明の実施例２を示す。留め金２の内側には、留め台１上の孤形突起１３と交互に噛合する孤形突起２３を設け、さらに図４に示すように留め台１上の孤形突起１３及び支持突起１４と対応する位置に、該孤形突起２３の片側底部に接して支持突起２４を設ける。
【００１０】
なお、留め台１には、図１及び図３に示すような孤形板、または平板を用いることができる。
【００１１】
図３及び図５に示すように、孤形突起１３、２３は、図６に示すように交互に噛合するよう配置することで頭髪５の滑落を防止し、また、留め金２の連結突起２１は、図５に示すように連結管２６を介して該連結管２６の両外側に形成することもでき、該連結突起２１と連結板１２に形成された連結孔１２１を嵌置して弧線状に接触させることで、図３に示す直線状の接触とは異なり、連結板１２の変形を防ぎ、且つ留め金２の開閉部の開閉をよりスムーズにすることができる。
【００１２】
図７に本発明の実施例３を示す。前記実施例１と異なる点は、留め金２のメッシュ模様２０を留め台１側へ突起させた突起部２５で代替した点で、該突起部２５と保持空間１３１を対応させ、頭髪５の保持力を強化し、頭髪５の滑落を防ぐ。
【００１３】
図８に本発明の実施例４を示す。前記実施例１と異なる点は、留め台３上の両側にそれぞれ縦方向に孤形突起３３を等間隔に配置し、且つ該留め台３の中央には横方向に該孤形突起３３の内側底部に接する支持突起３４を設け、該孤形突起３３の外側の一端には連続フレーム３３２を設け、孤形突起３３をより強固に安定させる。さらに、留め金４の中央にはアーチ突起４３を設け、頭髪５の保持力を強化する。
【００１４】
使用時には、頭髪５が均等に留め台３上の保持空間３３１内に配置され、図１０に示すように、留め台３の孤形突起３３と頭髪５の接触面を増加し、前記アーチ突起４３が留め台３上の両側に配置された孤形突起３３の中央に圧力を加え、頭髪５が保持空間３３１内で曲げられて変形したり、損傷したりすることを防ぐ。また、留め金２の幅を細くしても、その保持効果に影響を与えない構造である。
【００１５】
図１１に本発明実施例４の応用形態である実施例５を示す。図８の実施例４と異なる点は、留め金４に形成されたアーチ突起４３を三角突起４４により代替した点で、この構造でもその頭髪保持効果を損ねることはない。
【００１６】
【発明の効果】
主に留め台１と留め金２という二つの構成部品からなる簡略化された構造で、留め台１と留め金２の形状には平板または孤形のどちらも採用可能であり、また使用者の毛髪量に関わらず、均等に頭髪を留め台１上の保持空間１３１と留め金２の間に保持することを可能にし、頭髪に損傷を与えることなく頭髪５の保持効果を高め、さらに挟み金具８を設置しないことにより、製造コストを抑え、同時に使用者の毛髪損傷やけが、幼児の誤飲事故などを防ぎ、安全性を高めることができる。
【図面の簡単な説明】
【図１】本発明の実施例１の立体分解斜視図。
【図２】本発明の実施例１の使用状態を示す側面断面図。
【図３】本発明の実施例２の立体分解斜視図。
【図４】本発明の実施例２の使用状態を示す側面断面図。
【図５】本発明の実施例２の別の立体分解斜視図。
【図６】図５の側面図。
【図７】本発明の実施例３の立体分解斜視図。
【図８】本発明の実施例４の立体分解斜視図。
【図９】図８の側面図。
【図１０】本発明の実施例４の使用状態を示す側面断面図。
【図１１】本発明の実施例５の立体分解斜視図。
【図１２】従来の髪留めの立体分解斜視図。
【図１３】従来の髪留めの使用状態を示す側面断面図。
【図１４】従来の髪留めの外観斜視図。
【符号の説明】
留め台
留め金
５                頭髪
８                挟み金具
１１、３１、６１  つまみ部
１２、３２、６２  連結板
１３、２３、３３  孤形突起
１４、２４、３４  支持突起
２０              メッシュ模様
２１、４１        連結突起
２２、４２        留め穴
２５              突起部
２６              連結管
４３、７１        アーチ突起
４４              三角突起
８１              長穴
１１１、３１１    留め金具
１２１、３２１    連結孔
１３１、２３１、３３１    保持空間
３３２            連続フレーム
【図１】
2004242844.tif 000003
【図２】
2004242844.tif 000004
【図３】
2004242844.tif 000005
【図４】
2004242844.tif 000006
【図５】
2004242844.tif 000007
【図６】
2004242844.tif 000008
【図７】
2004242844.tif 000009
【図８】
2004242844.tif 000010
【図９】
2004242844.tif 000011
【図１０】
2004242844.tif 000012
【図１１】
2004242844.tif 000013
【図１２】
2004242844.tif 000014
【図１３】
2004242844.tif 000015
【図１４】
2004242844.tif 000016